(57)【要約】【課題】肩部の拡開がより一層容易となる折り畳み式ハンガーを提供する。【解決手段】折り畳み式ハンガー１は、被服が装着されて肩部２０が拡開した吊り下げ使用状態と、肩部２０が各々回動されて両方の肩部２０の先端部が隣接した肩部閉鎖状態と、肩部２０が吊り下げ使用状態と肩部閉鎖状態との中間に位置する中間状態と、のいずれかに選択的に状態変換自在であり、肩部２０を、肩部閉鎖状態における位置から中間状態における位置へ向かって付勢する板バネ部６５が備えられている。【選択図】図１
0003232834.tif 000002
【実用新案登録請求の範囲】
【請求項１】
所定の竿材に引っ掛けられる引掛部を有する本体部と、
前記本体部に各々軸支されて、当該本体部を中心に左右に各々配置された上下方向に回動自在な左右一対の肩部と、
を備え、
前記左右一対の肩部がともに下方に回動して前記左右一対の肩部の先端部同士が接近する肩部閉鎖状態と、
前記引掛部が前記竿材に引っ掛けられるとともに前記肩部が上方に回動することで前記左右一対の肩部が拡開してなる吊り下げ使用状態と、
前記肩部が前記吊り下げ使用状態と前記肩部閉鎖状態との中間に位置する中間状態と、
のうちいずれかの状態に選択的に状態変換自在であり、
前記本体部は、
前記肩部を、前記肩部閉鎖状態における位置から前記中間状態における位置へ向かう方向へ付勢する付勢手段を具備していることを特徴とする折り畳み式ハンガー。
【請求項２】
前記付勢手段は、前記肩部に設けられた板バネ部であり、前記板バネ部は、少なくとも前記肩部閉鎖状態で前記本体部の一部に当接して弾性変形してなる
請求項１に記載の折り畳み式ハンガー。
【考案の詳細な説明】
【技術分野】
【０００１】
本考案は、折り畳み式のハンガーに関する。
【背景技術】
【０００２】
例えば特許文献１に開示されているような折り畳み式のハンガーは、収納が容易であり、また被服を吊るす際には、肩部を閉じた上で被服の首部等から差し入れ、干す段階で肩部を開く構成である。
【先行技術文献】
【特許文献】
【０００３】
【特許文献１】特開２０１５−１５０２９９号公報
【考案の概要】
【考案が解決しようとする課題】
【０００４】
しかしながら、特許文献１に記載されているような従来の折り畳み式ハンガーにあっては、被服の内部で肩部を拡開する操作が必要となり、この操作が手間のかかるものであった。
【０００５】
本考案は、干す際の操作性が良好な折り畳み式ハンガーを提供することを目的とする。
【課題を解決するための手段】
【０００６】
本考案は、所定の竿材に引っ掛けられる引掛部を有する本体部と、前記本体部に各々軸支されて、当該本体部を中心に左右に各々配置された上下方向に回動自在な左右一対の肩部と、を備え、前記左右一対の肩部がともに下方に回動して前記左右一対の肩部の先端部同士が接近する肩部閉鎖状態と、前記引掛部が前記竿材に引っ掛けられるとともに前記肩部が上方に回動することで前記左右一対の肩部が拡開してなる吊り下げ使用状態と、前記肩部が前記吊り下げ使用状態と前記肩部閉鎖状態との中間に位置する中間状態と、のうちいずれかの状態に選択的に状態変換自在であり、前記本体部は、前記肩部を、前記肩部閉鎖状態における位置から前記中間状態における位置へ向かう方向へ付勢する付勢手段を具備していることを特徴とする折り畳み式ハンガーである。
【０００７】
かかる構成にあっては、肩部閉鎖状態のとき、両肩部を被服内に差し入れ、その状態で吊り下げ使用状態とすると、両肩部が拡開して被服を適正に吊り干すことが可能となる。ここで、本考案にあっては、上述のような付勢手段を備えるため、肩部閉鎖状態よりも、中間状態の方が左右一対の肩部がより離間した状態となりやすい。このため、使用者が両肩部を握るなどして被服内に差し入れたとき、その手を離すと両肩部は被服内で無理なく自然と前記中間状態における位置へ移行する。そうすると、前記肩部は、より一層、吊り下げ使用状態における位置に移行しやすくなるため、全体として折り畳み式ハンガーの操作性が向上することとなる。
【０００８】
なお、上記構成にあって、前記付勢手段は、前記肩部に設けられた板バネ部であり、前記板バネ部は、少なくとも前記肩部閉鎖状態で前記本体部の一部に当接して弾性変形してなる構成が提案される。
【０００９】
かかる構成とすることにより、簡素な構造で、肩部閉鎖状態よりも左右一対の肩部がより離間した中間状態が得られやすい構造となる。
【考案の効果】
【００１０】
本考案にかかる折り畳み式ハンガーは、操作性が格段に向上するという効果がある。
【図面の簡単な説明】
【００１１】
【図１】折り畳み式ハンガーの斜視図である。
【図２】引掛部材の斜視図である。
【図３】（ａ）は軸支部材片の斜視図であり、（ｂ）はリンク部材片の斜視図である。
【図４】肩部材の斜視図である。
【図５】（ａ）は中間状態である折り畳み式ハンガーの一部切欠正面図であり、（ｂ）は（ａ）の部分拡大図である。
【図６】（ａ）は肩部閉鎖状態である折り畳み式ハンガーの一部切欠正面図であり、（ｂ）は（ａ）の部分拡大図である。
【図７】（ａ）は吊り下げ使用状態である折り畳み式ハンガーの一部切欠正面図であり、（ｂ）は（ａ）の部分拡大図である。
【図８】他の実施例を示す斜視図である。
【考案を実施するための形態】
【００１２】
以下に本考案を具体化した実施例を詳細に説明する。なお、本考案は、下記に示す実施例に限定されることはなく、適宜、設計変更が可能である。
【００１３】
図１等に示すように、折り畳み式ハンガー１は、本体部１０と、本体部１０に対して回動自在に軸支される左右一対の肩部２０と、を備えている。
【００１４】
まず、本体部１０について説明する。
本体部１０は、図２に示すように、ほぼＣ字状の引掛部３１を上端部に備えた引掛部材３０を具備している。一方、この引掛部材３０における棒状部の下端には、左右一対の引掛部材側リンク軸孔部３２，３２が形成されている。そして、左右一対の引掛部材側リンク軸孔部３２，３２にあって、左右に突き出された曲面状の外側面部が、後述する板バネ部６５（付勢手段）が当接する当接面部３５とされている。なお、上述の引掛部３１は、例えば物干し竿などのような竿材１００に引っ掛けやすい形状となっている。
【００１５】
また本体部１０は、図１に示すように、引掛部材３０の棒状部が挿通される軸支部材４０を具備している。ここで、軸支部材４０は、二つの軸支部材片５０（図３ａ参照）を互いに突き合わせて組み付けられてなる。そして、各軸支部材片５０の上部に設けられた半円筒形状の凹部５１が互いに突き合わされることで、軸支部材４０において引掛部材３０の棒状部が挿通可能な引掛部材挿通孔部４１が構成されている。
【００１６】
また、各軸支部材片５０の左右両端部には、一側に突き出された一対の軸体片部５２，５２が形成されており、一方の軸支部材片５０の軸体片部５２，５２と他方の軸支部材片５０の軸体片部５２，５２とが互いに突き合わさせることで、肩部２０の基端部を軸支する肩部軸支部４２，４２が構成されている。
【００１７】
次に、肩部２０について説明する。
肩部２０は、図４に示すような長尺状の肩部材６０によって構成されている。ここで、肩部材６０の基端部には、軸孔部６１が設けられており、この軸孔部６１に、本体部１０の肩部軸支部４２が取り付けられる。また、軸孔部６１よりも先端側には、後述するリンク部材７０のリンク凹部８２によって軸支される肩部材側リンク軸凸部６２が設けられている。また、肩部材６０の軸孔部６１に隣接する位置には、板片状の板バネ部６５が、当該肩部２０の先端側に向けて突設されている。なお、本実施例の板バネ部６５により、本考案にかかる付勢手段が構成される。
【００１８】
さらに、折り畳み式ハンガー１には、図１に示すように、本体部１０と肩部２０とを接続するリンク部材７０が配設されている。ここで、リンク部材７０は、二つのリンク部材片８０（図３ｂ参照）を互いに突き合わせて組み付けて構成されており、リンク部材片８０の左右両端部のうち一方の端部には、一側に突き出されたリンク軸部８１が設けられている。そしてさらに、このリンク軸部８１の基端部には、貫通状のリンク凹部８２が設けられている。かかる構成にあって、リンク軸部８１は、上述した引掛部材側リンク軸孔部３２に挿通されることになり、またリンク凹部８２には、上述した肩部材側リンク軸凸部６２が軸支されることになる。
【００１９】
なお、リンク部材７０を用いた折り畳み式ハンガー１の折り畳み機構については、従来の折り畳み式ハンガーと同様のものが好適に適用できるため、詳細な説明は省略する。
【００２０】
次に、折り畳み式ハンガー１の使用方法について、図５〜図７に従って説明する。
折り畳み式ハンガー１は、通常、図５に示すように、各肩部２０の板バネ部６５が引掛部材３０の当接面部３５に当接しており、この板バネ部６５の付勢力によって肩部２０の先端部同士が、所定間隔だけ離間した状態（中間状態α）となっている。
【００２１】
そして、中間状態αにある折り畳み式ハンガー１の両肩部２０を、板バネ部６５の付勢力に抗して接近させると、図６に示すような肩部閉鎖状態βとなる。例えば、一対の肩部２０を片手でまとめて握り込むと、中間状態αから肩部閉鎖状態βへ移行する。また、このときに握っている手を放せば、板バネ部６５の付勢力によって両肩部２０は拡開し、中間状態αに復帰する。
【００２２】
ここで、肩部閉鎖状態βとなっている折り畳み式ハンガー１は、被服の首孔部に肩部２０を差し入れ易い状態となっている。そして、手で握った一対の肩部２０を被服内に挿入し、被服の内部で手を放すと、肩部２０を接近させていた拘束力が解除されて、被服内で肩部２０が板バネ部６５の付勢力に従って回動し、中間状態αとなる。
【００２３】
そして、中間状態αにある折り畳み式ハンガー１を竿材１００に引っ掛けると、被服の重みによって軸支部材４０が下方へ向かって移動し、さらにリンク部材７０の機能によって両肩部２０が拡開し、図７に示すような吊り下げ使用状態γとなる。ここで、吊り下げ使用状態γとなるときには、両肩部２０がある程度拡開した中間状態αから状態変換することになるため、肩部２０が無理なく被服内で上方へ回動開始しやすくなり、全体として折り畳み式ハンガー１の操作性が向上する。
【００２４】
次に、図８に従って変形例を説明する。
かかる折り畳み式ハンガー２は、引掛部３１の内周面に凹溝が段状に連なった凹段部９１が形成されている。かかる構成とすることにより、種々の太さの竿材を係止することができるようになる。また、引掛部３１の下端部には、凹溝状の上側指掛け凹部９２が設けられている。さらに、軸支部材片５０の下端部には、凹溝状の下側指掛け凹部９３が設けられている。かかる構成とすることにより、例えば片手の人差し指と中指で上側指掛け凹部９２を摘み、親指で下側指掛け凹部９３を摘むようにして、片手で折り畳み式ハンガー２を保持することができるようになり、操作性が大幅に向上する。
【００２５】
上記実施例において、各部の寸法形状は適宜自由に選択可能である。
例えば付勢手段は板バネ部６５に限定されず、例えばコイルスプリング等が用いられていても構わない。ただし、板バネ部６５を採用すると、簡素な構造で付勢手段を構成することができる。
また、上側指掛け凹部９２や下側指掛け凹部９３の形状は、指を掛けることができる貫通孔部で構成されていても構わない。
【符号の説明】
【００２６】
１，２            折り畳み式ハンガー
１０              本体部
２０              肩部
３０              引掛部材
３１              引掛部
３２              引掛部材側リンク軸孔部
３５              当接面部
４０              軸支部材
４１              引掛部材挿通孔部
４２              肩部軸支部
５０              軸支部材片
５１              凹部
５２              軸体片部
６０              肩部材
６１              軸孔部
６２              肩部材側リンク軸凸部
６５              板バネ部（付勢手段）
７０              リンク部材
８０              リンク部材片
８１              リンク軸部
８２              リンク凹部
１００            竿材
α                中間状態
β                肩部閉鎖状態
γ                吊り下げ使用状態
【図１】
0003232834.tif 000003
【図２】
0003232834.tif 000004
【図３】
0003232834.tif 000005
【図４】
0003232834.tif 000006
【図５】
0003232834.tif 000007
【図６】
0003232834.tif 000008
【図７】
0003232834.tif 000009
【図８】
0003232834.tif 000010